(57)【特許請求の範囲】
【請求項１】
上面紙と下面紙の間にスペーサ紙材を挟んで成る紙製パネルの組立構造であって、
紙製パネルの上面に下面紙を薄肉ヒンジ部として残して断面Ｖ字形の溝部を形成するとともに、この薄肉ヒンジ部を切り起し端部とする切り起し部を形成し、この切り起し部を前記薄肉ヒンジ部から折り曲げて起立させ、この切り起し部により上面紙上の垂直な紙製パネルを支持することを特徴とする紙製パネルの組立構造。
【請求項２】
前記切り起し部の側面に突部を突設し、この突部を前記垂直な紙製パネルに開孔された孔部に挿入することにより、前記垂直な紙製パネルを支持することを特徴とする請求項１記載の紙製パネルの組立構造。
【発明の詳細な説明】
【技術分野】
【０００１】
本発明は、紙製のパネルにより展示会のブース等の立体構造物を構築する紙製パネルの組立構造に関するものである。
【背景技術】
【０００２】
従来、展示会のブース等の立体構造物を構築するパネルは、木製又は金属製であり、ネジやビス等の止具によりパネル同士を結合して組み立てていた。
【発明の概要】
【発明が解決しようとする課題】
【０００３】
ところで、ダンボール箱の紙材は、２枚の表面紙（上面紙と下面紙）の間に波状やハニカム状の紙材（本発明では、これらを「スペーサ紙材」と称する）を挟んで作られている。このようなダンボール箱は強度や耐久性にすぐれ、また廃棄処分をしやすい等の長所を有している。
【０００４】
表面紙やスペーサ紙材として厚手の強度の大きい紙を用いれば、木製や金属性のパネルに替えて紙製のパネルを実現できる。このような紙製のパネルは強度や耐久性にすぐれ、また廃棄処分をしやすいものとなる。
【０００５】
そこで本発明は、展示会のブース等の構造物を簡単に構築することができる紙製パネルの組立構造を提供することを目的とする。
【課題を解決するための手段】
【０００６】
請求項１に記載の本発明は、上面紙と下面紙の間にスペーサ紙材を挟んで成る紙製パネルの組立構造であって、紙製パネルの上面に下面紙を薄肉ヒンジ部として残して断面Ｖ字形の溝部を形成するとともに、この薄肉ヒンジ部を切り起し端部とする切り起し部を形成し、この切り起し部を前記薄肉ヒンジ部から折り曲げて起立させ、この切り起し部により上面紙上の垂直な紙製パネルを支持するものである。
【０００７】
請求項２記載の本発明は、請求項１記載の紙製パネルの組立構造において、前記切り起し部の側面に突部を突設し、この突部を前記垂直な紙製パネルに開孔された孔部に挿入することにより、前記垂直な紙製パネルを支持する。
【発明の効果】
【０００８】
本発明によれば、薄肉ヒンジ部から折り曲げて切り起し部を起立させ、起立させた切り起し部により上面紙上の垂直な紙製パネルを支持するので、展示会のブース等の立体構造物をしっかり、かつ簡単に構築することができる。
【０００９】
また切り起し部の側面に突部を突設し、この突部を垂直な紙製パネルに開孔された孔部に挿入することにより、垂直な紙製パネルをよりしっかり支持することができる。また、ネジやビス等の止具を使用することを禁止はしないが、これを使用しなくても立体構造物を構築できる。
【図面の簡単な説明】
【００１０】
【図１】本発明の実施の形態の紙製パネルの分解斜視図
【図２】本発明の実施の形態の紙製パネルの組立状態の斜視図
【図３】本発明の実施の形態の紙製パネルの部分斜視図
【図４】（ａ）本発明の実施の形態の紙製パネルの切り起し部の倒伏状態の断面図（ｂ）本発明の実施の形態の紙製パネルの切り起し部の起立状態の断面図
【発明を実施するための形態】
【００１１】
次に、本発明の実施の形態を図面を参照して説明する。図１は本発明の実施の形態における紙製パネルの組立前の分解斜視図、図２は同組立て後の斜視図である。図１において、紙製パネル（以下、単にパネルと略称する）の構造体１は、台板となる第１パネル（水平なパネル）１１、第１パネル１１上の両側部に立設される第２パネル（垂直なパネル）１２、第２パネル１２と第２パネル１２の間に立設される第３パネル（垂直なパネル）１３から成っている。
【００１２】
第１パネル１１の４隅には孔部１１１が開孔されている。第２パネル１２はその下部に突設された突部１２１を孔部１１１に挿入することにより、第１パネル１１上に垂直に立設される。また第１パネル１１の中央線上には孔部１１２が開孔されている。第３パネル１３はその下部に突設された突部１３１を孔部１１２に挿入することにより、第１パネル１１上に垂直に立設される（図２も参照）。この組立て状態で、第３パネル１３の両側部に突設された突部１３２は、第２パネル１２に開孔された孔部１２２に挿入される。
【００１３】
第１パネル１１の中央近くには切り起し部２０が形成されている。次に、図３と図４（ａ）（ｂ）を参照して切り起し部２０を説明する。まず、パネル１１の断面構造を説明する。図３、図４（ａ）（ｂ）において、第１パネル１１は上面紙３１ａと下面紙３１ｂの間に波状のスペーサ紙材３１ｃを挟んで成っている。第２パネル１２や第３パネル１３もこれと同構造である。２枚の表面紙（上面紙と下面紙）の間にスペーサ部材を挟む紙材の構造は、ダンボール箱等により公知である。因みに、ダンボール箱の厚さは一般に約３ｍｍ程度であるが、本実施の形態のパネル１１、１２、１３の厚さは約１５ｍｍ程度であり、上面紙３１ａと下面紙３１ｂの厚さも通常のダンボール箱よりも厚く、強度も大きい。
【００１４】
第１パネル１１の表面には断面Ｖ字形の溝部２１が形成されており、またこの溝部２１を切り起し端部とする切り起し部２０が形成されている。図４（ａ）に示されるように、溝部２１は上面紙３１ａとスペーサ紙材３１ｃを切欠して形成されており、下面紙３１ｂは切欠されずに薄肉ヒンジ部（可撓ヒンジ部）３２として残存している。切り起し部２０は、薄肉ヒンジ部３２から上方へ折れ曲がり（矢印Ａ）、垂直に切り起される。図４（ｂ）は切り起した状態を示している。２２は、切り起し部２０を切り起したために第１パネル１１に生じた開口部である。
【００１５】
図１において、切り起し部２０の側面には突部２０１が突設されている。第３パネル１３には孔部１３３が開孔されており、この孔部１３３に突部２０１を挿入することにより、第３パネル１３は第１パネル１１上に立設される。したがって第３パネル１３は、その下面の突部１３１を第１パネル１１の孔部１１２に挿入し、その側面の突部１３２を第２パネル１２の孔部１２２に挿入し、更に切り起し部２０の突部２０１を孔部１３３に挿入して切り起し部２０で支持することにより、第１パネル１１上に垂直に立設される。すなわち、本実施の形態によれば、ビスやネジなどの金具を用いずに、第１パネル１１上に第３パネル１３をしっかりと垂直に立設することができる。
【産業上の利用可能性】
【００１６】
本発明によれば、薄肉ヒンジ部から折り曲げて切り起し部を起立させ、起立させた切り起し部により上面紙上の垂直な紙製パネルを支持するので、展示会のブース等の構造物をしっかり、かつ簡単に構築することができる。
【符号の説明】
【００１７】
１  紙製パネルの構造体
１１  第１パネル
１２  第２パネル
１３  第３パネル
２０  切り起し部
２１  溝部
３１ａ  上面紙
３１ｂ  下面紙
３１ｃ  スペーサ紙材
３２  薄肉ヒンジ部
１３３  孔部
２０１  突部
【図１】
0005464056.tif 000002
【図２】
0005464056.tif 000003
【図３】
0005464056.tif 000004
【図４】
0005464056.tif 000005